(57)【特許請求の範囲】
【請求項１】
挿入口から挿入された千円札を千円金庫に受入れ、必要に応じてその千円金庫から釣銭として千円札を排出口に排出し、
前記挿入口から挿入された５千円札を５千円還流部に受入れ、必要に応じてその５千円還流部から釣銭として５千円札を排出口に排出し、
前記挿入口から挿入された１万円札を収納金庫に受入れる紙幣処理装置において、
前記千円金庫及び５千円還流部から前記収納金庫へ千円札及び５千円札をそれぞれ移送し、次いで、その収納金庫から全ての紙幣を回収する間、その千円金庫が空になった時点で、前記挿入口からの千円札の挿入を許可する許可手段を設けたことを特徴とする紙幣処理装置。
【請求項２】
挿入口から挿入された千円札を千円金庫に受入れ、必要に応じてその千円金庫から釣銭として千円札を排出口に排出し、
前記挿入口から挿入された５千円札を５千円還流部に受入れ、必要に応じてその５千円還流部から釣銭として５千円札を排出口に排出し、
前記挿入口から挿入された１万円札を収納金庫に受入れる紙幣処理装置において、
前記５千円還流部から５千円札を前記収納金庫へ移送したのち、前記挿入口からの千円札の挿入を許可するとともに、その挿入の許可された千円札をその５千円還流部に受入れ、その５千円還流部に受入れられた千円札を交換された別の新たな収納金庫に移送する制御手段を設けたことを特徴とする紙幣処理装置。
【発明の詳細な説明】
【０００１】
【発明の属する技術分野】
本発明は、自動券売機や自動精算機等の駅務機器、あるいは各種の自動販売機に組込まれる紙幣処理装置に関する。
【０００２】
【従来の技術】
近年、自動券売機は、特急券や長距離乗車券を販売できるように、１万円札の高額紙幣も使用できるようになってきている。また、各種の自動販売機においても、高額商品を販売する自動販売機は、高額紙幣が使用できるように構成されている。
【０００３】
１万円札の高額紙幣の使用できる自動券売機等（以下、自動券売機を例に説明する。）は、１０円、５０円、１００円及び５００円の硬貨を受入れ、必要に応じて釣銭硬貨を排出できる硬貨処理装置を備えているとともに、千円札、５千円札及び１万円札を受入れ、必要に応じて千円札及び５千円札の釣紙幣を排出できる紙幣処理装置が備えられている。
【０００４】
自動券売機に組込まれている紙幣処理装置の集計処理時や回収金庫が満杯等で紙幣処理装置が使用できないとき、硬貨処理装置のみで自動券売機が稼動状態に保たれ、可能な限り自動券売機の稼動状態が維持されるように構成されている。したがって、この場合、紙幣を用いた乗車券の購入は禁止される。
【０００５】
【発明が解決しようとする課題】
しかしながら、上記従来の紙幣処理装置は、その紙幣処理装置が使用できないとき、その紙幣処理装置を組込んでいる自動券売機等は、一切の紙幣の使用が禁止されるので、稼動効率が低下するだけでなく、利用者に不便を与える欠点があった。
【０００６】
そこで、本発明は、上記欠点を解決するためになされたものであって、その目的は、紙幣の回収中であっても可能な限り稼動できるようにし、もって利用者の利便を向上させることのできる紙幣処理装置を提供することにある。
【０００７】
【課題を解決するための手段】
本発明の請求項１に係る紙幣処理装置は、上記目的を達成するために、挿入口から挿入された千円札を千円金庫に受入れ、必要に応じてその千円金庫から釣銭として千円札を排出口に排出し、前記挿入口から挿入された５千円札を５千円還流部に受入れ、必要に応じてその５千円還流部から釣銭として５千円札を排出口に排出し、前記挿入口から挿入された１万円札を収納金庫に受入れる紙幣処理装置において、前記千円金庫及び５千円還流部から前記収納金庫へ千円札及び５千円札をそれぞれ移送し、次いで、その収納金庫から全ての紙幣を回収する間、その千円金庫が空になった時点で、前記挿入口からの千円札の挿入を許可する許可手段を設けたことを特徴としている。
【０００８】
また、本発明の請求項２に係る紙幣処理装置は、上記目的を達成するために、挿入口から挿入された千円札を千円金庫に受入れ、必要に応じてその千円金庫から釣銭として千円札を排出口に排出し、前記挿入口から挿入された５千円札を５千円還流部に受入れ、必要に応じてその５千円還流部から釣銭として５千円札を排出口に排出し、前記挿入口から挿入された１万円札を収納金庫に受入れる紙幣処理装置において、前記５千円還流部から５千円札を前記収納金庫へ移送したのち、前記挿入口からの千円札の挿入を許可するとともに、その挿入の許可された千円札をその５千円還流部に受入れ、その５千円還流部に受入れられた千円札を交換された別の新たな収納金庫に移送する制御手段を設けたことを特徴としている。
【０００９】
【発明の実施の形態】
以下、本発明の実施の形態を図面に基づいて説明する。図１（ａ）〜（ｃ）は、一実施の形態に係る紙幣処理装置ａ内の紙幣の流れを示していて、（ａ）は、紙幣処理装置ａの集計時における締切回収動作時の紙幣の流れを示し、（ｂ）は後述する収納金庫の交換完了前の紙幣の流れを示し、（ｃ）は、収納金庫の交換が終了して通常の状態における紙幣の流れを示している。
【００１０】
紙幣処理装置ａは、挿入口１から挿入された紙幣を検銭部２で真偽と種別とを判定し、正常な紙幣と判定されない紙幣は再び挿入口１に戻して返却し、正常と判定された紙幣は種別毎に分けられて紙幣処理装置ａ内に受入れられるように構成されている。
【００１１】
すなわち、正常な千円札は千円金庫３に受入れられ、正常な５千円札は５千円還流部４に受入れられ、また、正常な１万円札は収納金庫５に受入れられるように構成されている。また、千円金庫３及び５千円金庫５からは、必要に応じて排出口６に千円札又は５千円札の釣銭が排出されるように構成されている。
【００１２】
なお、図中、鎖線及び実線で示される線は、紙幣の移動（流れ）のラインであり、周知の紙幣処理装置と同様に、挾持ローラ、搬送ベルト等からなる搬送系により構成され、移動方向の制御は図示しないウィング等からなる方向変換系により行われるように構成されている。そして、これら搬送系及び方向変換系は、紙幣処理装置ａ全体を統括的に制御し、さらに、この紙幣処理装置ａを組込んでいる自動券売機等をも制御するマイクロコンピュータを中心に構成される制御器（図示せず）により駆動制御されるように構成されている。また、この制御器は、本発明の許可手段及び制御手段をも担っている。
【００１３】
千円金庫３は、図示しないが、千円札を積層して収納し、必要に応じて１枚ずつ繰出して釣銭として排出できるように構成されている。
【００１４】
５千円還流部４は、常時、釣銭として必要な所定の枚数の５千円札を保持し、その枚数を越える５千円札が挿入口１に挿入されたときは、収納金庫５へ移送できるように構成されている。
【００１５】
収納金庫５は、挿入口１に挿入された１万円札のみならず、千円金庫３及び５千円還流部４にそれぞれ受入れられている千円札及び５千円札も受入れることができるように構成されている。
【００１６】
次に、図１に示される紙幣の流れに従って制御動作を説明する。
【００１７】
（ａ）締切回収動作
集計時刻到来により、係員によって紙幣処理装置ａが締切られると、挿入口１からの一切の紙幣の挿入は禁止される。そして、千円金庫３内の千円札及び５千円還流部４内の５千円札は、収納金庫５に移送されて回収される。
【００１８】
（ｂ）現金回収前動作
上記（ａ）の回収動作により、千円金庫３が空になった時点で、挿入口１からの千円札の挿入が許可される。したがって、利用者は、千円札を用いての乗車券の購入等が可能となる。すなわち、利用者は５千円札及び１万円札の使用はできないが、千円札の使用が可能となり、これにより利用者の利便の向上が図られる。
【００１９】
この千円札の使用可能状態において、収納金庫５から全ての紙幣が回収され、また、必要に応じて千円金庫３に釣銭用の千円札が補給される。
【００２０】
（ｃ）通常動作
収納金庫５からの紙幣が回収された後、挿入口１から全ての紙幣の受入れが許可される。
【００２１】
図２は、本発明の他の実施の形態に係る紙幣処理装置ａ′を示すものであって、上記図１に示される紙幣処理装置ａと異なる点は、千円金庫３′及び収納金庫５′が交換型に構成されていること、及び回収時の千円札の受入れを５千円還流部４としていることにある。
【００２２】
次に、図２に示される紙幣の流れに従って制御動作を説明する。
【００２３】
（ａ）締切回収動作
集計時間到来により、係員によって紙幣処理装置ａが締切られると、挿入口１からの一切の紙幣の挿入は禁止される。そして、５千円還流部４内の５千円札は、収納金庫５に移送されて回収される。
【００２４】
（ｂ）現金回収前動作
上記（ａ）の回収動作により、５千円還流部４が空になった時点で、挿入口１からの千円札の挿入が許可される。したがって、利用者は、千円札を用いての乗車券の購入等が可能となる。すなわち、利用者は５千円札及び１万円札の使用はできないが、千円札の使用が可能となり、これにより利用者の利便の向上が図られる。
【００２５】
この千円札の使用可能状態において、千円金庫３′は、図２（ｂ）の右側上部に示されている別の新たな千円金庫に、及び収納金庫５′は、同図（ｂ）の右側下部に示されている別の新たな収納金庫にそれぞれ交換される。また、必要に応じて交換された新たな千円金庫３′には、予め、釣銭用の千円札が補給される。
【００２６】
（ｃ）金庫交換後動作
収納金庫５′が新たな収納金庫５′と交換された時点で、５千円還流部４に受入れられている千円札がその新たな収納金庫５′に移送される。
【００２７】
（ｄ）通常動作
５千円還流部４からの紙幣が収納金庫５′へ移送された後、挿入口１から全ての紙幣の受入れが許可される。
【００２８】
【発明の効果】
本発明の請求項１に係る紙幣処理装置は、千円金庫及び５千円還流部から収納金庫へ千円札及び５千円札をそれぞれ移送し、次いで、その収納金庫から全ての紙幣を回収する間、その千円金庫が空になった時点で、挿入口からの千円札の挿入を許可する許可手段を設けたので、紙幣の回収時においても、短時間の内に千円札の使用が可能となり、紙幣処理装置の稼動効率を高めることができるとともに、利用者の利便を向上させることができる。
【００２９】
本発明の請求項２に係る紙幣処理装置は、５千円還流部から５千円札を収納金庫へ移送したのち、挿入口からの千円札の挿入を許可するとともに、その挿入の許可された千円札をその５千円還流部に受入れ、その５千円還流部に受入れられた千円札を交換された別の新たな収納金庫に移送する制御手段を設けたので、紙幣の回収時においても、短時間の内に千円札の使用が可能となり、紙幣処理装置の稼動効率を高めることができるとともに、利用者の利便を向上させることができる。
【図面の簡単な説明】
【図１】（ａ）は紙幣処理装置の集計時における締切回収動作時の紙幣の流れを示し、（ｂ）は収納金庫からの現金回収前の紙幣の流れを示し、（ｃ）は収納金庫の交換が終了して通常の状態を示している。
【図２】本発明の他の実施の形態を示すものであって、（ａ）は、紙幣処理装置の集計時における締切回収動作時の紙幣の流れを示し、（ｂ）は収納金庫の交換完了前の紙幣の流れを示し、（ｃ）は収納金庫の交換後の紙幣の流れを示し、（ｄ）は収納金庫の交換が終了して通常の状態を示している。
【符号の説明】
ａ，ａ′  紙幣処理装置
１  挿入口
２  検銭部
３，３′  千円金庫
４  ５千円還流部
５，５′  収納金庫
【図１】
0003553287.tif 000002
【図２】
0003553287.tif 000003